(57)【要約】【課題】客先が建材用板ガラスの各性能を一目で識別することができるようにした建材用板ガラスを提供する。【解決手段】複層ガラスや合わせガラスの一部に、当該ガラスの断熱性能、防犯性能、遮音性能等を、それぞれ記号または数字・文字をもって表示し、一目でそのガラスの性能が識別できるようにする。【選択図】図１
2004051456.tif 000002
【特許請求の範囲】
【請求項１】
建材用ガラスにおけるガラス面上に、前記ガラスの諸性能が特定できる情報が表示されていることを特徴とするガラス製品性能情報を表示した建材用ガラス。
【請求項２】
建材用ガラスが複層ガラスであって、該複層ガラスのスペーサー部の中空層側の部位に、前記複層ガラスの諸性能が特定できる情報が表示されていることを特徴とするガラス製品性能情報を表示した建材用ガラス。
【請求項３】
建材用ガラスにおけるガラス面上に、前記ガラスの品種及び／又は構成を特定できる情報が表示されていることを特徴とする請求項１又は２に記載のガラス製品性能情報を表示した建材用ガラス。
【請求項４】
建材用ガラスにおけるガラス面上に、前記ガラスの縦横寸法及び／又は厚さ寸法が表示されていることを特徴とする請求項１、２又は３に記載のガラス製品性能情報を表示した建材用ガラス。
【請求項５】
建材用ガラスが複層ガラスであって、該複層ガラスのスペーサー部の中空層側の部位に、前記複層ガラスの品種及び／又は構成を特定できる情報が表示されていることを特徴とする請求項２に記載のガラス製品性能情報を表示した建材用ガラス。
【請求項６】
建材用ガラスが複層ガラスであって、該複層ガラスのスペーサー部の中空層側の部位に、前記ガラスの縦横寸法及び／又は厚さ寸法が表示されていることを特徴とする請求項２又は５に記載のガラス製品性能情報を表示した建材用ガラス。
【請求項７】
建材用ガラスの諸性能が、等級分けした等級値で表示されていることを特徴とする請求項１〜６に記載のガラス製品性能情報を表示した建材用ガラス。
【請求項８】
建材用ガラスの諸性能が、光学特性、熱特性、安全性能、防犯性能、遮音性能の少なくともいずれかひとつであることを特徴とする請求項１〜７に記載のガラス製品性能情報を表示した建材用ガラス。
【請求項９】
建材用ガラスの一部に断熱性能、防犯性能及び遮音性能がそれらの等級に応じてそれぞれ記号、数字及び文字の少なくとも一つをもって表示されていることを特徴とする請求項１〜８に記載のガラス製品性能情報を表示した建材用ガラス板。
【請求項１０】
前記建材用ガラスにされた表示が、レーザ印字方法又は印刷方法を用いて形成されていることを特徴とする請求項１〜９に記載のガラス製品性能情報を表示した建材用ガラス。
【発明の詳細な説明】
【０００１】
【発明の属する技術分野】
本発明は、建材用ガラスの諸性能が特定できる情報、更には寸法、品種、構成などの製品情報を表示した建材用ガラスに関する。
【０００２】
【従来の技術】
現在、建材用の複層ガラス、合わせガラス、強化ガラス、強化合わせガラス、強化複層ガラス、合わせ複層ガラスなどの建材用ガラスにおいては、その構成ガラス板の一部にサンドブラスト法又はシール印刷物などにより製造会社名及び／又はその略号、製造年月を表示している。図６に示した例は、複層ガラスの１枚のガラス板面にサンドブラスト法により、商品名「ＰＡＩＲ　ＧＬＡＳＳ」（旭硝子株式会社の登録商標）６０、製造会社名の標章（旭硝子株式会社の登録商標）４１及び略号４２、製造年（西暦）の下２桁５１が表示されている例を示す。また、製造月は、図６（Ｃ）のように、・印５３の表示位置で区別しており、図６（ｂ）の・印５２は、１２月製造を表している。しかし、建材用ガラス製品の諸性能に関する情報についての表示がなく、その板ガラス製品に諸性能の等級がある場合にどのような性能を有するかを一概に知ることができないという問題点がある。例えば、断熱性能、遮音性能、防犯性能などの各種性能がまとまって表示されておらず、一目でそのガラス性能を総合的に判断するのが容易でなかった。このような建材用ガラスのカタログやパンフレットにおいても各性能を一目で判断するのが容易でなく、客先が種々のガラスの中から選択するのが難しかった。
【０００３】
【発明が解決しようとする課題】
本発明は、前述の問題点を解消し、建材用ガラスの各種製品の諸性能、その等級を容易に知ることができ、そのガラス製品の全体としての性能の把握も容易であり、客先での性能把握による選択が容易で、且つ利便性が高く、更には建材用ガラスのはめ換え時に代替となる建材用ガラスを手配する際に必要となる寸法や品種、構成などの製品情報を、施主又は居住者にて特定できる建材用ガラスを提供することにある。
【０００４】
【課題を解決するための手段】
本発明は、建材用ガラスにおけるガラス面上に、前記ガラスの諸性能が特定できる情報が表示されていることを特徴とする建材用ガラスを提供することにある。
【０００５】
また、本発明は、建材用ガラスが複層ガラスであって、該複層ガラスのスペーサー部の中空層側の部位に、前記複層ガラスの諸性能が特定できる情報が表示されていることを特徴とするガラス製品性能情報を表示した建材用ガラスを提供することにある。
【０００６】
また、本発明は、建材用ガラスにおけるガラス面上に、更に前記ガラスの品種及び／又は構成を特定できる情報が表示されていることを特徴とする建材用ガラスを提供することにある。
【０００７】
また、本発明は、建材用ガラスにおけるガラス面上に、更に前記ガラスの縦横寸法及び／又は厚さ寸法が表示されていることを特徴とするガラス製品性能情報を表示した建材用ガラスを提供することにある。
【０００８】
また、本発明は、建材用ガラスが複層ガラスであって、該複層ガラスのスペーサー部の空気層側の部位に、更に前記複層ガラスの品種及び／又は構成を特定できる情報が表示されていることを特徴とするガラス製品性能情報を表示した建材用ガラスを提供することにある。
【０００９】
また、本発明は、建材用ガラスが複層ガラスであって、該複層ガラスのスペーサー部の空気層側の部位に、更に前記ガラスの縦横寸法及び／又は厚さ寸法が表示されていることを特徴とするガラス製品性能情報を表示した建材用ガラスを提供することにある。
【００１０】
また、本発明は、建材用ガラスの諸性能が、等級分けした等級値で表示されていることを特徴とするガラス製品性能情報を表示した建材用ガラスを提供することにある。
【００１１】
また、本発明は、建材用ガラスの諸性能として、光学特性、断熱性能、安全性能、防犯性能、遮音性能の少なくともいずれかひとつが、またこれらの性能が等級値をもって表示されているガラス製品性能情報を表示した建材用ガラスを提供することにある。
【００１２】
また、本発明は、建材用ガラスの一部に断熱性能、防犯性能及び遮音性能がそれらの等級に応じてそれぞれ記号、数字及び文字の少なくともひとつをもって表示されていることを特徴とするガラス製品性能情報を表示した建材用ガラス板を提供することにある。
【００１３】
また、本発明は、前記建材用ガラスにされた表示が、レーザ印字方法又は印刷方法を用いて形成されていることを特徴とするガラス製品性能情報を表示した建材用ガラスを提供することにある。
【００１４】
本発明によれば、建材用ガラスにその性能が特定できる情報が表示されており、容易に識別できるようになっているので、製品の性能、更には等級を容易に知ることができ、等級に応じた製品性能の把握、取扱いが可能となり、また建材用ガラスに、縦横寸法、厚さ寸法、品種及び／又は構成がその製品に表示されている場合には、施主又は居住者が取り替えようとしたい建材用ガラスの製品情報を容易に特定することができ、電話、ＦＡＸ又はインターネットを利用することにより、ガラス販売店又はメーカーへ直接連絡をとることで、容易に且つ迅速に代替品を手配することができる建材用ガラスを提供することができる。
【００１５】
また、建材用ガラスの製造工場では、サンドブラスト法やレーザマスキング法などで使用する原版を必要としない印字方法を用いることもできるので、従来の印字方法による原版の製作に要する費用、品種ごとに原版を交換する費用及び時間などを削減することが可能となる。
【００１６】
【発明の実施の形態】
建材用ガラスは、一般の戸建住宅、集合住宅、オフィスビル、店舗、公共施設、工場施設などの建物の開口部、間仕切りなどに使用される各種のガラスである。
建材用ガラスとしては、板ガラス、合わせガラス、複層ガラス、強化合わせガラス、強化複層ガラス、合わせ複層ガラスなどがある。このようなガラスを構成するガラス板の種類として、透明板ガラス、型板ガラス、網入板ガラス、線入板ガラス、強化ガラス、熱線反射ガラス、熱線吸収ガラス、Ｌｏｗ−Ｅガラス、その他各種ガラス板が挙げられる。
【００１７】
前記した合わせガラスは、前記各種板ガラスの中から選ばれた板ガラスを２枚以上を用いて、板ガラスと板ガラスとの間に中間膜を挟んで合わせ加工したガラスである。また、複層ガラスは、前記板ガラス及び合わせガラスの中から、任意の２枚を専用のスペーサーで一定間隔を保ち、その周囲を特殊な接着構造で密封し、中空層内を乾燥状態に保ったものである。また、前記板ガラスには、各種の表面処理、コーティングを施したり、フィルムシートを組合わせて熱線吸収や熱線反射などの性能を付与した板ガラスを含むことができる。
【００１８】
建材用ガラスの諸性能が特定できる情報や、縦横寸法、厚さ、寸法、品種及び／又は構成の表示位置については、板ガラスや合わせガラスの場合は、ガラス面上に表示する。また、複層ガラスの場合には、ガラス面上又はスペーサー部に表示することができる。ガラス面上に表示する場合、具体的には、建材用ガラスの周辺部あるいはコーナー部であって、建材用ガラスがサッシ内に嵌め込まれた状態においても、施主又は居住者又は取替え業者が現認しやすい側あるいは室内側に表示することが好ましい。
【００１９】
ガラス面上への表示の位置については、サッシ枠と建材用ガラスとの境目から６０ｍｍ以内の位置が好ましい。さらに、板ガラス及び合わせガラスの上辺又は下辺のコーナー部に現状表示されている製造年月及び製造会社名などに隣接して表示することがより好ましい。それは、施主又は居住者の視界を妨げないような位置であり、製品情報を現認しやすい位置に表示されるのが良いからである。
【００２０】
建材用ガラスが複層ガラスである場合、該複層ガラススペーサー部の中空層側の所定の部位、例えば、複層ガラスのコーナー部の上辺、下辺又は側辺の中空層側の所定の部位に表示することができる。しかしながら、複層ガラスにおける表示位置については、空気層に不織布やブラインドがある場合や、空気層側の板ガラス面にコーティングやフィルムなどがある場合は、スペーサー部の表示部が判別できないことがあるため、スペーサー部への表示だけではなく、前記ガラス面上にも表示することができる。なお、スペーサー部へ表示する場合でも、諸性能、商品名、製造会社名又はその略号、製造年月などの一部を、ガラス面上に表示することができる。
【００２１】
本発明において、表示される建材用ガラスの諸性能として、光学特性、熱特性、安全性能、防犯性能、遮音性能の少なくともいずれかひとつが、またより好ましくはこれらの性能が等級値をもって表示され、その表示をもってそのガラス製品の各種性能のグレードがどの程度かを分かりやすくする。
建築用板ガラスの断熱性能に関しては、当該断熱性能を表す熱貫流率をいくつかの性能範囲に区分し、例えば、熱貫流率が０．５［Ｗ／ｍ３Ｋ］から１．０［Ｗ／ｍ３Ｋ］未満の範囲をグレード５、１．０［Ｗ／ｍ３Ｋ］から１．２［Ｗ／ｍ３Ｋ］未満の範囲をグレード４、１．２［Ｗ／ｍ３Ｋ］から１．７［Ｗ／ｍ３Ｋ］未満の範囲をグレード３、などのように区分（５，４，３、ここで５は断熱性能が非常に高い、４は高い、３は中を示す）する。
また、建築用板ガラスの遮音性能に関しても、ＪＩＳ　Ａ　４７０６に定められた規格にそって遮音性を測定し、例えばＴ−１等級に該当するものを３、Ｔ−２等級に該当するものを４とするようなグレード（Ｔ−２等級の方がＴ−１等級より遮音性が高い）で区分して表示する。
【００２２】
また、防犯性能に関しては、ヨーロッパの防犯性能に関する基準を定めたヨーロッパ規格ＥＮ３５６に沿って防犯性を測定し、例えばＰ２Ａに合格するものを３、Ｐ４Ａに合格するものを４、Ｐ５Ａに合格するものを５とするようなグレードで区分（５、４、３。ここで５は防犯性能が非常に高く、４は高い、３は中を示す）し表示する。
【００２３】
建材用ガラス板の諸性能、具体的には断熱性能、遮音性能、防犯性能をそれぞれ表示してそのガラス板の諸性能が一目で分かるようにする場合、例えばこれらの３つの性能を数字で組合わせて表示する。例えば、５４４、３３３、３４４などのように表示する。ここで３桁目は断熱性能グレード、２桁目は防犯性能グレード、１桁目は遮音性能グレードを示している。５４４の場合は、断熱性能が５（非常に高い）、防犯性能グレードが４（高い）、遮音性能が４（高い）を表している。このグレードの表示は、上記したような数字に限らず、ＡＡＡ、ＡＢＢ、ＡＢＣのようにアルファベットを用いて表示したり、数字とアルファベットとを組合わせて表示してもよいし、その他の文字、記号を用いてもよい。
【００２４】
建材用ガラス板への寸法の表示例として、建材用ガラスの縦横寸法や厚み寸法が判別できるように、Ｈ１８００Ｗ０９５０Ｔ０５、１８００＊９５０＊Ｔ５などが挙げられる。ここで、Ｈは縦寸法、Ｗは横寸法、Ｔは厚みをそれぞれ表しており、縦寸法が１８００ｍｍ、横寸法が９５０ｍｍ、厚みが５ｍｍであることを表している。また、複層ガラスの厚みと構成の表示例として、６．８Ｗ＋Ａ６＋６が挙げられ、これは、室外側の板ガラスが網入り板ガラスで厚み６．８ｍｍであること（６．８Ｗ）、複層ガラスを構成する２枚の板ガラスの間隔が６ｍｍであること（Ａ６）、室内側の板ガラスが厚み６ｍｍであること（６）、前記表示全体として複層ガラスの部分的な構成を表している。
【００２５】
建材用ガラスの品種は多数あるため、品種の表示には、アルファベットなどの記号を用いて、複数桁の記号と品種を１対１で対応させておき、表現することが好ましい。建材用ガラスの寸法に関しては、一般消費者、買主、施主又は居住者が、この品種をあらわす英数文字を見て、品種が判らなくともよく、電話やインターネット等で、取り替え業者やメーカーに照会したときに、前記英数文字と品種が１対１で対応していればよい。
【００２６】
表示の大きさや字体には、特に制限はないが、建材用ガラスの購入客、取り替え業者、施主又は居住者などの一般人が容易に製品情報を判別することができる表示（ポイント数や字体など）であることが望ましい。一つの文字、数字、記号などの表示の大きさは、４〜１４ポイント（１ポイントは０．３５１ｍｍ）の大きさで、字体はゴシック体であることが判別する点から好ましい。
【００２７】
建材用ガラスに製品情報を表示する方法として、レーザ印字方法又印刷方法を用いることができる。これらの方法を用いることにより、製品情報と共に、従来から表示していた製造会社名又はその略号、製造年月なども同時に印字することが可能となる。
【００２８】
レーザ印字方法には、通常用いられている炭酸ガスレーザ方法、エキシマレーザ方法、ＹＡＧレーザ方法などの印字方法を用いることができる。ガラス面にレーザ光を照射することで、ガラス表面が凹凸形状となり、レーザ光が照射していない部分との識別が可能となる。
【００２９】
印刷方法には、インクジェット印字方法などがある。インクジェット印字方法は、インクの粒子を噴射して、印字対象物へドット状に印字する方法である。使用するインクには、太陽光線、特に紫外線による劣化を防ぐ上で、耐候性のあるインクを用いるのが好ましい。また、擦れなどによる脱落や剥離を防ぐ上で、ガラスとの密着性の良いインクを用いるのが好ましい。また、スペーサー部に印刷する場合、スペーサー部の材質にアルミニウムを主成分とする材料が用いられることが多いので、前記材料とインクとの接着性、前記スペーサー部の色調に対応した識別しやすいインキの色を選択すること、などを考慮する必要がある。
【００３０】
また、ガラス面上への表示方法には、レーザ印字方法を用いるのが好ましい。それは、インクジェット印字方法などによる印字は、レーザ印字方法と比較して、ガラス表面に凹凸部を形成しないが、経時的にガラス表面よりインクが剥離する可能性や、太陽光線によって退色する可能性が高いためである。
【００３１】
また、レーザ印字方法やインクジェット印字方法のような非接触型の印字方法を適用することで、サンドブラスト法やレーザマスキング法などで使用する原版を必要としないため、原版に関わる費用を削減することが可能となる。
【００３２】
【実施例】
次に本発明の実施例を図面に従って具体的に説明する。
【００３３】
実施例１
透明板ガラス１の寸法が縦１８００ｍｍ、横９５０ｍｍ、厚さ６ｍｍである建材用ガラスの室内側から見た時の右下コーナー部分のガラス表面上に、炭酸ガスレーザマーカ（キーエンス社製ＭＬシリーズ）を用いて、出力１２Ｗ、照射時間５秒で、商品名（「ＥＸＣＥＬＳＩＯＲ」）、諸性能を表す等級（（４）（４）（４））、製造年（０２）、製造会社（ＡＳＡＨＩ）、製造場所の略称（ＡＸ−Ｓ）をそれぞれ図１（ａ）の通りに印字した。図１（ｂ）は、図１（ａ）印字部分の当該ガラスの性能情報表示部分２１の拡大図である。図１（ｃ）は上記印字部分の諸性能を示す部分の説明であり、断熱性能のグレード、防犯性能のグレード及び遮音性能のグレードをそれぞれ数字で３桁として表示したものである。
【００３４】
実施例２
透明板ガラス１の寸法が縦１８００ｍｍ、横９５０ｍｍ、厚さ６ｍｍである建材用ガラスの室内側から見た時の右下コーナー部分のガラス表面上に、炭酸ガスレーザマーカ（キーエンス社製ＭＬシリーズ）を用いて、出力１２Ｗ、照射時間５秒で、商品名６０（「ＰＡＩＲ　ＧＬＡＳＳ」），諸性能を表す等級５０（（４）（４）（３））、製造年５１（０２）、製造会社４２（ＡＳＡＨＩ）、製造場所の略称（ＡＸ−ＡＫ）、商標名４１、寸法３１（１８００＊０９５０＊Ｔ６。ここで１番目は高さ（ｍｍ）、２番目は幅（ｍｍ）、３番目は厚さ（ｍｍ）を示す）をそれぞれ図２（ａ）の図示の通りに印字した。図２（ｂ）は、図２（ａ）の印字部分の当該ガラスの性能情報表示部分２１の拡大図である。
【００３５】
実施例３
複層ガラス１２の構成が、屋外側に６．８ｍｍ厚みの網入り板ガラス、室内側に６．０ｍｍ厚みの透明板ガラス、空気層６．０ｍｍであり、寸法が縦１８００ｍｍ、横９５０ｍｍである建材用複層ガラスに、炭酸ガスレーザマーカ（キーエンス社製ＭＬシリーズ）を用いて、出力１２Ｗ、照射時間５秒で、室内側から見たときの右下コーナー部に、商品名６０（「ＰＡＩＲ　ＧＬＡＳＳ」），諸性能を表す等級５０（（４）（４）（３））、製造年５１（０２）、製造会社４２（ＡＳＡＨＩ）、製造場所の略称（ＡＸ−ＡＫ）、商標名４１、寸法３３（Ｈ１８００　Ｗ０９５０。ここでＨは高さ（ｍｍ）、Ｗは幅（ｍｍ）を示す）、複層ガラスの構成６２（６．８Ｗ＋Ａ６＋６。ここで６．８Ｗは６．８ｍｍ厚みの網入り板ガラス、Ａ６は複層ガラスの中空層の厚さ、６は６．０ｍｍ厚みの透明板ガラスを示す）をそれぞれ図３（ａ）の図示の通りに印字した。図３（ｂ）は、図３（ａ）の印字部分の当該複層ガラス１２の製品情報表示部分２１の拡大図である。
【００３６】
実施例４
複層ガラス１２の構成が、屋外側に６．８ｍｍ厚みの網入り板ガラス、室内側に６．０ｍｍ厚みの透明板ガラス、空気層６．０ｍｍであり、寸法が縦１８００ｍｍ、横９５０ｍｍである建材用複層ガラスのスペーサー部の空気層側の部位に、インクジェットプリンター（キーエンス社製ＭＫシリーズ）を用いて、諸性能を表す等級５０（（４）（４）（３））、製造会社の略称４３（ＡＧＣ）、寸法３３（Ｈ１８００　Ｗ０９５０。ここでＨは高さ（ｍｍ）、Ｗは幅（ｍｍ）を示す）、複層ガラスの構成６２（６．８Ｗ＋Ａ６＋６。ここで６．８Ｗは６．８ｍｍ厚みの網入り板ガラス、Ａ６は複層ガラスの中空層の厚さ、６は６．０ｍｍ厚みの透明板ガラスを示す）をそれぞれ図４（ａ）の図示の通りに印字した。図４（ｂ）は、図４（ａ）の印字部分の当該複層ガラス１２の製品情報表示部分２１の拡大図である。
【００３７】
実施例５
普通板ガラスとＬｏｗ−Ｅガラス板（それぞれの寸法は縦１８００ｍｍ、横９５０ｍｍ、厚さ６ｍｍ）とをポリビニールブチラール合わせ中間膜にて合わせ加工した合わせガラスの一方のガラス板表面上に、インクジェットプリンター（キーエンス社製ＭＫシリーズ）を用いて、室内側から見たときの右下コーナー部に、商品名６０（「ＬＡＭＩＳＡＦＥ」）、諸性能を表す等級５０（（１）（４）（４））、製造年５１（０２）、製造会社４２（ＡＳＡＨＩ）、製造場所の略称（ＡＸ−ＡＫ）、商標名４１、寸法３２（Ｈ１８００　Ｗ０９５０　Ｔ０６。ここでＨは高さ（ｍｍ）、Ｗは幅（ｍｍ）、Ｔは厚さ（ｍｍ）を示す）をそれぞれ図５（ａ）の図示の通りに印字した。図５（ｂ）は、図５（ａ）の印字部分の当該ガラスの性能情報表示部分２１の拡大図である。
【００３８】
前述した性能情報表示部分はインクジェット印字方法によって行ったが、インクジェット印字方法に代わって、レーザ印字法によっても同様に表示することができた。
実施例１〜５の表示は、一般の人々の目にも見やすく、客先、施主又は居住者が建材用ガラスの製品性能情報を容易に特定することができた。
【００３９】
【発明の効果】
本発明により、建材用ガラスに表示されている製品性能情報を参照することで、容易に当該建材用ガラスの各種性能を一目で判別することができる。また、建材用ガラスの寸法等が付記された場合には、直接、施主又は居住者から代替の建材用ガラス製品を手配することが可能となり、はめ換えに関わる期間を短縮することができる。また、建材用ガラス製品のはめ換えの際に発生するガラス取替え業者における現認作業を削減することが可能となり、施主又は居住者のはめ換えに関わる金銭的負担を低減することができる。
【図面の簡単な説明】
【図１】本発明の実施例１による建材用ガラスの性能表示例である。
【図２】本発明の実施例２による複層ガラスの性能及び寸法・品種の表示例である。
【図３】本発明の実施例３による複層ガラスの性能及び寸法・品種の表示例である。
【図４】本発明の実施例４による複層ガラスの性能及び寸法・品種をスペーサー部に表示した例である。
【図５】本発明の実施例５による合わせガラスの性能及び寸法・品種をスペーサー部に表示した例である。
【図６】現状複層ガラスの製品情報の表示例である。
【符号の説明】
１：透明板ガラス
１１：熱線反射ガラス
１２：複層ガラス
２１：ガラス面上の製品情報の表示部分
２２：スペーサー部の製品情報の表示部分
３１、３２、３３：寸法の表示
４１、４２、４３：製造会社名の標章又は略号又は略称
５０：各種性能の等級値で示した表示
５１：製造年（西暦年の下２桁）
５２、５３：製造月を表す印
６０：複層ガラスの商品名
６１：板ガラスの品種
６２：複層ガラスの構成
７１：スペーサー
７２：吸湿材
７３：封着材
【図１】
2004051456.tif 000003
【図２】
2004051456.tif 000004
【図３】
2004051456.tif 000005
【図４】
2004051456.tif 000006
【図５】
2004051456.tif 000007
【図６】
2004051456.tif 000008